(57)【要約】【課題】アンテナ装置の性能を向上できるようにする。【解決手段】上部筐体６１と下部筐体６２には、基板が収容されている。下部筐体６２の下方の端部にはアンテナ部７９が設けられ、他方の端部には金属棒７８が設けられている。金属棒７８は、内部の基板に伸張可能な延長グランドとして接地されている。最寄りの基地局からの高周波電流は、アンテナ部７９、下部筐体６２の内部の基板、および、上部筐体６１の内部の基板だけでなく、さらに、延長グランドとしての金属棒７８でも受信される。したがって、携帯電話機の通話時に、金属棒７８を伸張することにより、金属棒７８の分だけ、グランドサイズが大きくなり、アンテナ特性が向上する。本発明は、携帯電話機に適用できる。【選択図】　　　図１１
2004056703.tif 000002
【特許請求の範囲】
【請求項１】
筐体と、
前記筐体の上方と下方の端部のうちの一方に配置されたアンテナと、
前記筐体の上方と下方の端部のうちの他方に配置され、前記筐体に収納される第１の状態と、前記筐体の外部に伸張される第２の状態との間で伸縮する延長グランドと
を備えることを特徴とする携帯無線通信端末。
【請求項２】
前記延長グランドは、金属棒であり、前記第１の状態において、前記筐体の内部に収納される
ことを特徴とする請求項１に記載の携帯無線通信端末。
【請求項３】
前記延長グランドは、前記第１の状態において、前記筐体の外部に突起する突起部を有する
ことを特徴とする請求項２に記載の携帯無線通信端末。
【請求項４】
前記延長グランドは、金属板であり、前記第１の状態において、前記筐体の内部に収納される
ことを特徴とする請求項１に記載の携帯無線通信端末。
【請求項５】
前記延長グランドは、前記筐体の内部のグランドに、直接接地されている
ことを特徴とする請求項１に記載の携帯無線通信端末。
【請求項６】
前記延長グランドは、前記筐体の内部のグランドに、位相回路を介して接地されている
ことを特徴とする請求項１に記載の携帯無線通信端末。
【請求項７】
前記筐体は、前記アンテナを有する第１の筐体と、前記第１の筐体に対して閉じられた状態と開放された状態との間で開閉自在な第２の筐体からなり、
前記延長グランドは、前記第１の筐体の、前記アンテナが配置されている方の端部とは反対側の端部に設けられている
ことを特徴とする請求項１に記載の携帯無線通信端末。
【請求項８】
前記筐体は、前記アンテナを有する第１の筐体と、前記第１の筐体に対して閉じられた状態と開放された状態との間で開閉自在な第２の筐体からなり、
前記延長グランドは、前記第２の筐体の、前記第１の筐体との接合部とは反対側の端部に設けられている
ことを特徴とする請求項１に記載の携帯無線通信端末。
【発明の詳細な説明】
【０００１】
【発明の属する技術分野】
本発明は、携帯無線通信端末に関し、特に、アンテナ特性を向上させるようにした携帯無線通信端末に関する。
【０００２】
【従来の技術】
最近、携帯電話機を使用して、音声による通話だけでなく、電子メールなどのデータ通信やインターネットへの接続が利用されるようになってきた。
【０００３】
また、携帯電話機の種類も増えてきており、特に、表示部と操作部とをヒンジで結合させた開閉可能な折りたたみ式携帯電話機が好まれる傾向にある。
【０００４】
従来の折りたたみ式携帯電話機を、図１乃至図３を参照して説明する。
【０００５】
図１の携帯電話機は、表示部３およびスピーカ４を有する上部筐体１、並びに、アンテナ部５、操作部６、およびマイクロフォン７を有する下部筐体２より構成されている。アンテナ部５は、伸縮されるホイップアンテナ５ｂと、その先頭に取り付けられているヘリカルアンテナ５ａとにより構成されている。この携帯電話機は、図中、矢印で示されるように、ヒンジ８を軸として、上部筐体１が回動され、下部筐体２に合わせられることにより、上部筐体１の表示部３と下部筐体２の操作部６が対向するように折りたたまれる。
【０００６】
図１の例の場合、アンテナ部５は、下部筐体２の上端部の位置に設置され、スタンバイ状態においては、ホイップアンテナ５ｂが下部筐体２に収納され、ヘリカルアンテナ５ａだけが下部筐体２の外部に突出している。これにより、スタンバイ状態においても充分な感度で電波を受信できるようになされている。
【０００７】
通話状態においては、ホイップアンテナ５ｂは、必要に応じて下部筐体２から引き出され、より高い感度で電波が受信できるように形成されている。
【０００８】
図２は、従来の折りたたみ式携帯電話機の他の構成例を示している。図２の携帯電話機は、図１におけるアンテナ部５が、下部筐体２ではなく、上部筐体１にの上端部に設けられている点を除いて、その他の構成は、上述した図１の携帯電話機と同様の構成である。なお、図２の例の場合、ホイップアンテナ５ｂが上部筐体１に収納され、ヘリカルアンテナ５ａだけが、上部筐体１の外部に突出されている。
【０００９】
【発明が解決しようとする課題】
以上の携帯電話機においては、アンテナ部５を収納しても伸張しても、等価的に同じ波長を受信できるようにするために、その長さＬが約２，３ｃｍ程度のヘリカルアンテナ５ａが必要となる。
【００１０】
しかしながら、このヘリカルアンテナ５ａは、筐体から突出していることにより、落下などにより破損したり、あるいは、ポケットやカバンなどから携帯電話機を取り出す際にひっかかってしまうことが多く、携帯するのに不便であるという課題があった。
【００１１】
そこで、図３に示されるように、下部筐体２の下部に、伸縮しない固定式のアンテナ部２１を内蔵されることも提案されている。
【００１２】
しかしながら、通常、携帯電話機においては、携帯電話機の内部に設置されるグランド（基板）もアンテナとして動作しているため、携帯電話機のアンテナ特性が、その基板サイズに大きく依存してしまう。したがって、固定式のアンテナ部２１では、図１のアンテナ部５を伸張させた場合よりアンテナ特性の劣化してしまったり、周波数の帯域が狭くなってしまうといった課題があった。
【００１３】
また、図３の携帯電話機を用いて通話する場合、図４に示されるように、下部筐体２が手２２で持たれ、上部筐体１が頭部２３に接近してしまうため、アンテナ部２１からの高周波電流３１が影響を受けてしまい、アンテナ特性が劣化してしまうという課題があった。
【００１４】
本発明は、このような状況に鑑みてなされたものであり、アンテナ特性を向上できるようにするものである。
【００１５】
【課題を解決するための手段】
本発明の携帯無線通信端末は、筐体と、筐体の上方と下方の端部のうちの一方に配置されたアンテナと、筐体の上方と下方の端部のうちの他方に配置され、筐体に収納される第１の状態と、筐体の外部に伸張される第２の状態との間で伸縮する延長グランドとを備えることを特徴とする。
【００１６】
延長グランドは、金属棒であり、第１の状態において、筐体の内部に収納されるようにすることができる。
【００１７】
延長グランドは、第１の状態において、筐体の外部に突起する突起部を有するようにすることができる。
【００１８】
延長グランドは、金属板であり、第１の状態において、筐体の内部に収納されるようにすることができる。
【００１９】
延長グランドは、筐体の内部のグランドに、直接接地されているようにすることができる。
【００２０】
延長グランドは、筐体の内部のグランドに、位相回路を介して接地されているようにすることができる。
【００２１】
筐体は、アンテナを有する第１の筐体と、第１の筐体に対して閉じられた状態と開放された状態との間で開閉自在な第２の筐体からなり、延長グランドは、第１の筐体の、アンテナが配置されている方の端部とは反対側の端部に設けられているようにすることができる。
【００２２】
筐体は、アンテナを有する第１の筐体と、第１の筐体に対して閉じられた状態と開放された状態との間で開閉自在な第２の筐体からなり、延長グランドは、第２の筐体の、第１の筐体との接合部とは反対側の端部に設けられているようにすることができる。
【００２３】
本発明の携帯無線通信端末においては、アンテナが配置されている端部と反対側の端部に、延長グランドが配置されている。
【００２４】
【発明の実施の形態】
以下、図を参照して本発明の実施の形態について説明する。
【００２５】
図５は、本発明を適用した携帯電話機の外観の構成例を示す図である。
【００２６】
携帯電話機５１は、表示部７１を有する上部筐体６１、主操作部７４を有する下部筐体６２、および、上部筐体６１と下部筐体６２を結合するためのヒンジ６３（図６）により構成される、折りたたみ式の携帯電話機である。
【００２７】
上部筐体６１は、上面６１ａに、表示部７１、スピーカ７２、副操作部７３を有している。表示部７１は、ＬＣＤ（Ｌｉｑｕｉｄ　Ｃｒｙｓｔａｌ　Ｄｉｓｐｌａｙ）などの薄型の表示装置で構成され、文字や画像を表示する。表示部７１の上方のスピーカ７２は、受話音声を出力する。表示部７１の下方の副操作部７３は、例えば、受信および送信履歴の呼び出し、電話帳表示あるいは電子メール表示を指示するための操作ボタンであり、この携帯電話機５１では３個の操作ボタンが設けられているが、個数は任意である。
【００２８】
下部筐体６２は、上面６２ａに、主操作部７４、および、マイクロフォン７５、突起部７６および凹面部７７を有している。主操作部７４は、数字、文字、記号などに対応する操作ボタンなどにより構成され、その操作ボタンが押されることにより、電話番号またはメールの文字などが入力される。この例の場合、１５個の操作ボタンが規則的に配置されているが、個数は任意である。主操作部７４の下方のマイクロフォン７５は、送話音声を入力する。突起部７６は、上面６２ａにおいて、互いに離間した位置に４個配置されている。マイクロフォン７５と反対側の上端部に位置する凹面部７７は、略球面を内側から見た形状（凹面形状）に形成されている。
【００２９】
また、下部筐体６２は、上端部の図中右側に、スタンバイ状態においては、下部筐体６２に収納され、必要に応じて下部筐体６２から引き出される収納および伸張可能な金属棒７８を有する。この金属棒７８は、下部筐体６２に内蔵される基板１０２（図９）に接地され、先端に突起部７８ａを有する。
【００３０】
突起部７８ａは、金属棒７８が下部筐体６２に収納された場合（図８）、金属棒７８を下部筐体６２から引き出すとき、ユーザが、指で摘まむためのものであり、非常に、薄く（精々、５ｍｍ程度の厚さに）、小さく形成されている。すなわち、突起部７８ａは、図１を参照して説明したアンテナ部５のヘリカルアンテナ５ａのように、アンテナ特性を考慮する必要がないため、下部筐体６２からそれ程突出させる必要は全くない。
【００３１】
したがって、金属棒７８を下部筐体６２に収納した場合、この突起部７８ａは、ヘリカルアンテナ５ａの長さＬに較べて充分短く、下部筐体６２からヘリカルアンテナ５ａほど突出しないので、落下などにより破損したり、あるいは、ポケットやカバンなどから携帯電話機を取り出す際にひっかかってしまうことが抑制され、携帯し易くなる。
【００３２】
さらに、下部筐体６２の内部の下端部近傍には、固定式のアンテナ部７９が基板１０２（図９）とともに内蔵されており、図示せぬ最寄りの基地局との無線通信が行われる。
【００３３】
図６は、図５の携帯電話機５１の外観の側面の構成を示す図である。
【００３４】
携帯電話機５１においては、上部筐体６１と下部筐体６２が、ヒンジ６３の軸６３ａを中心として、軸６３ａの回りに回動可能に連結されている。
【００３５】
上部筐体６１の下面６１ｂの、下部筐体６２と連結している下端部には、斜面６１ｃが形成されている。この斜面６１ｃは、下面６１ｂがスピーカ部７２から離間するにしたがって、上面６１ａに近づくように、先細りにされた楔状に形成されている。また、この斜面６１ｃ上には、略球面状をなす突出量の小さな突面部８１（凹面部７７の形状に対応する）が設けられている。
【００３６】
下部筐体６２の上面６２ａの、上部筐体６１と連結している上端部には、斜面６２ｃが形成されている。この斜面６２ｃは、上面６２ａがマイクロフォン部７５から離間するにしたがって、下面６２ｂから遠ざかるように形成されている。すなわち、この斜面６２ｃ上に、凹面部７７が形成されている。
【００３７】
図６の例においては、上部筐体６１の斜面６１ｃと下部筐体６２の斜面６２ｃが重ねられた状態で、上部筐体６１と下部筐体６２が、ヒンジ６３を介して回動自在に連結されている。実際には、上部筐体６１の斜面６１ｃと下部筐体６２の斜面６２ｃには、約１ｍｍの隙間が形成されている。したがって、下部筐体６２に形成された凹面部７７に、上部筐体６１に設けられた突面部８１が近接した状態で、下部筐体６２に対してヒンジ６３を中心に、上部筐体６１が回動される。
【００３８】
ヒンジ６３は、上部筐体６１の斜面６１ｃと下部筐体６２の斜面６２ｃとに対して、略直交する方向へ延びるように配置されている。
【００３９】
非使用時（待ち受け時）、ヒンジ６３を中心として上部筐体６１が、図７に示されるように、時計方向または反時計方向に回動され、下部筐体６２に合わせられることにより、図８に示されるように、下部筐体６２の上面６２ａが、上部筐体６１により覆われ、閉塞状態とされる。閉塞状態においては、上部筐体６１の下面６１ｂは、下部筐体６２の上面６２ａに設けられた突起部７６上に載置された状態とされ、下部筐体６２の上面６２ａと僅かに離間した状態とされている。したがって、上部筐体６１に対して、下部筐体６２側へ向かう外力がかかってしまった場合でも、下部筐体６２の上面６２ａに配置された主操作部７４に対する意図しない操作を回避することができる。
【００４０】
なお、図８の閉塞状態においては、上部筐体６１の上面６１ａに配置された副操作部７３を用いて、表示部７１の表示を確認しながら、所定の操作を行うことができる。
【００４１】
逆に、使用時（通話時）、ヒンジ６３を中心として、上部筐体６１が、図７に示されるように、反時計方向または時計方向に回動され、図５または図６に示されるような、開放状態とされる。
【００４２】
以上のように、上部筐体６１の斜面６１ｃと下部筐体６２の斜面６２ｃとが接近した状態とされているため、開放状態においては、上部筐体６１と下部筐体６２とが所定の角度を持って傾斜され、下部筐体６２のマイクロフォン部７５とヒンジ６３とを結ぶ結合線Ｌ１が、上部筐体６１のスピーカ部７２とヒンジ６３を結ぶ結合線Ｌ２に対して１８０°未満の所定の角度に設定される（下部筐体６２の上面６２ａと、上部筐体６１の上面６１ａの角度が、１８０°未満の所定の角度に設定される）。なお、この上部筐体６１と下部筐体６２がなす角度θは、ユーザが通話を行うときの顔の外形に沿う形状を考慮して、１３５°乃至１７０°とすることが望ましい。
【００４３】
なお、図５または図６の開放状態においても、上部筐体６１の上面６１ａに配置された副操作部７３に対して、所定の操作を行うことができる。
【００４４】
次に、この携帯電話機５１に内蔵されるアンテナ装置について、図９を参照して説明する。なお、折りたたみ式の携帯電話機５１においては、上部筐体６１に内蔵される基板１０１が、下部筐体６２に内蔵される基板１０２とフレキシブル基板で相互に接続され、アンテナ装置を構成しているが、図９の例においては、説明の便宜上、その図示は省略され、基板１０１および基板１０２は、離れて示されている。
【００４５】
図９の例においては、アンテナ装置は、基板１０１、並びに、アンテナ部７９、金属棒７８およびシールドケース１０３を有する基板１０２により構成される。
【００４６】
アンテナ部７９は、基板１０２の図中下端部に配置されている。金属棒７８は、基板１０２のアンテナ部７９が配置されている端部と反対側の、図中上方の端部の右側に、伸張可能な延長グランドとして接地されている（基板１０２と接続されている）。金属棒７８は、ホイップアンテナと同様、例えば、超弾性を有するＮｉＴｉ（ニッケルチタン）などにより形成される。
【００４７】
基板１０２上には、図１０に示されるように、無線回路、および、携帯電話機５１のさまざまな機能を実行する回路１１１が形成され、シールドケース１０３により覆われている。シールドケース１０３が形成されている基板１０２は、基板１０１とともに、回路１１１の基準電位となる電気的なグランドとして使用されている。
【００４８】
図９の例においては、アンテナ部７９、グランドとしての基板１０２、および基板１０１、並びに、延長グランドとしての金属棒７８が、アンテナとして作用し、最寄りの基地局からの高周波電流を受信する。
【００４９】
このように、金属棒７８を延長グランドとして接続し、携帯電話機５１の通話時に、金属棒７８を伸張することにより、グランドサイズが大きくなり、さらに、図１１に示されるように、高周波電流１３１が、下部筐体６２のアンテナ部７９、下部筐体６２の基板１０２、および、上部筐体６１の基板１０１だけでなく、金属棒７８でも受信されるので、アンテナ装置の多共振化が図られ、アンテナ特性が向上する。
【００５０】
以上においては、金属棒７８を直接、基板１０２に接地（接続）するように説明したが、図１２に示されるように、金属棒７８をコンデンサ、インダクタまたはダイオードなどにより構成される位相回路１４１を介して、基板１０２に接地するようにしてもよい。これにより、アンテナ装置のインピーダンス整合が調整され、さらに、アンテナ特性が向上される。
【００５１】
図１３は、基板１０２上の回路１１１の構成例を示すブロック図である。なお、図１３においては、基板１０１、および、携帯電話機５１のその他の機能を実行する回路などは、説明の便宜上、省略されている。
【００５２】
回路１１１は、制御部１５１、スイッチ１５２、受信部１５３および送信部１５４により構成される。制御部１５１は、回路１１１の全体の動作を制御する。スイッチ１５２は、制御部１５１の制御のもと、接点１５２ａまたは１５２ｂを選択し、高周波電流の送受信の切り換えを実行する。受信部１５３は、制御部１５１の制御のもと、接点１５２ａからの高周波電流を受信する。送信部１５４は、制御部１５１の制御のもと、携帯電話機５１内部で生成される高周波電流を、接点１５２ｂを介してスイッチ１５２に出力する。
【００５３】
制御部１５１は、受信動作を行うとき、スイッチ１５２を接点１５２ａ側に切り換える。これにより、アンテナ部７９により最寄りの基地局から受信された高周波電流が受信部１５３に入力される。
【００５４】
反対に、送信動作を行うとき、制御部１５１は、スイッチ１５２を接点１５２ｂ側に切り換える。これにより、高周波電流が送信部１５４から、アンテナ部７９を介して、最寄りの基地局へ送信される。
【００５５】
以上のように、延長グランドとして金属棒７８を接続し、携帯電話機５１の使用時に、その金属棒７８を伸張することにより、アンテナ装置のアンテナ特性が向上する。
【００５６】
また、金属棒７８の突起部７８ａはアンテナそのものではないため、それ程大きく形成する必要がなく、薄く形成できるため、携帯電話機５１の待ち受け時に、下部筐体６２に収納された場合であっても、ポケットやカバンなどから携帯電話機を取り出す際にひっかかってしまうことが抑制され、携帯し易くなる。
【００５７】
以上においては、下部筐体６２の基板１０２の下方に接地されたアンテナ部７９と反対側の方向の端部に接地された金属棒７８によりアンテナ装置を構成するようにしたが、金属棒を、アンテナ部と反対側の端部に設置するようにすれば、その設置される位置は、図１４以降に説明するように、同一基板上でも、異なる基板上でもよく、さらに、アンテナ部と金属棒を、上下反対の位置に接続するようにしてもよい。
【００５８】
図１４は、本発明の携帯電話機の外観の他の構成例を示す側面図である。なお、なお、図１４の折りたたみ式携帯電話機２０１は、図５乃至図８の携帯電話機５１の下部筐体６２の金属棒７８が、上部筐体６１の上端部に配置された点を除いて、その他の構成は、上述した図５乃至図８の携帯電話機５１と同様の構成であり、繰り返しになるので、その説明は省略する。
【００５９】
図１４の例の場合、金属棒７８が、下部筐体６２のアンテナ部７９から最も離れた、上部筐体６１の上端部に設置されている。
【００６０】
携帯電話機２０１のアンテナ装置は、図１５に示されるように、金属棒７８を有する基板１０１（上部筐体６１）と、アンテナ部７９およびシールドケース１０３を有する基板１０２（下部筐体６２）により構成される。なお、図１５において、図９における場合と対応する部分には対応する符号を付してあり、その説明は繰り返しになるので省略する。
【００６１】
このように、金属棒７８を延長グランドとして、上部筐体６１の基板１０１の図中上側の端部に接続し、金属棒７８を伸張することにより、図１６に示されるように、高周波電流２２１が、下部筐体６２のアンテナ部７９、下部筐体６２の基板１０２、および、上部筐体６１の基板１０１だけでなく、金属棒７８でも受信されるので、アンテナ装置のグランドサイズが大きくなり、アンテナ特性が向上する。
【００６２】
図１７および図１８を参照して、本発明の携帯電話機の他の構成例を説明する。
【００６３】
なお、図１７の折りたたみ式携帯電話機２４１は、図１４の携帯電話機２０１の上部筐体６１の金属棒７８とアンテナ部７９の位置を相互に入れ換えた（下部筐体６２に金属棒７８を配置し、上部筐体６１にアンテナ部７９を配置した）点を除いて、その他の構成は、上述した図１４の携帯電話機２０１と同様の構成であり、繰り返しになるので、その説明は省略する。
【００６４】
この場合においても、金属棒７８を伸張することにより、アンテナ装置のグランドサイズが大きくなり、アンテナ特性が向上する。
【００６５】
一方、図１８の折りたたみ式携帯電話機２７１は、図１７の携帯電話機２４１の上部筐体６１のアンテナ部７９を、下部筐体６２の上端部に配置した構成例である。
【００６６】
この場合においても、上述した実施の形態と同様に、アンテナ特性が向上する。
【００６７】
以上のように、金属棒とアンテナ部は、同一の筐体（基板）上に配置されても、また、異なる筐体（基板）上に配置されても、金属棒が、アンテナ部と反対側の端部に配置されていれば、図５乃至図８の携帯電話機５１と同様の効果を得ることができる。
【００６８】
さらに、図１９を参照して、本発明の携帯電話機のさらに他の構成例を説明する。なお、図１９の携帯電話機３０１は、図１４の携帯電話機２０１の金属棒７８が、金属板３１１に置き換えられた点を除いて、その他の構成は、上述した図１４の携帯電話機２０１と同様の構成であり、繰り返しになるので、その説明は省略する。
【００６９】
図１９の例の場合、金属板３１１が、延長グランドとして、下部筐体６２の固定式のアンテナ部７９から最も離れた、上部筐体６１の上端部に設置されている。この金属板３１１は、図２０に示されるように、金属パターン４０２がエラストマなどの樹脂４０１によりカバーされて構成される。
【００７０】
金属板３１１の金属パターン４０２は、例えば、図２１に示されるように、上部筐体６１に内蔵される基板１０１と同軸ケーブル４１２を介して、コネクタ４１１で延長グランドとして接続されたり、または、図２２に示されるように、金属バネ４２１を介して延長グランドとして接続される。
【００７１】
また、この金属板３１１は、スタンバイ状態においては、図１９と図２０の矢印の方向に、図示せぬヒンジを中心に回動され、図２３に示されるように、上部筐体６１の上端部の凹部３２１（図２０）内に収納される。これにより、金属板３１１は、上部筐体６１から突出しないので、落下などにより破損したり、あるいは、ポケットやカバンなどから携帯電話機を取り出す際にひっかかってしまうことが抑制され、携帯し易くなる。なお、金属板３１１がひっかからない薄さであれば、金属板３１１を上部筐体６１の上端部に接するように折りたたむことで収納するようにしてもよい。
【００７２】
また、金属板３１１は、携帯電話機３０１の使用時には、必要に応じて上部筐体６１から、図１９の矢印とは逆方向に、図示せぬヒンジを中心に回動されることにより、立ち上げられ（伸張され）、携帯電話機３０１のアンテナ装置の延長グランドとして機能する。
【００７３】
以上のように、金属棒７８に代えて、金属板３１１を延長グランドとして設けた場合においても、高周波電流が、下部筐体６２のアンテナ部７９、下部筐体６２の基板１０２、および、上部筐体６１の基板１０１だけでなく、金属板３１１でも受信されるので、アンテナ装置のグランドサイズが大きくなり、アンテナ特性が向上する。
【００７４】
さらに、図示は省略するが、図５乃至図８、図１７または図１８の携帯電話機において、金属棒を金属板に置き換えるようにしてもよい。また、金属板とアンテナ部との位置は入れ換えてもよい。
【００７５】
すなわち、アンテナ部と反対側の端部に、金属棒、金属板、その他の延長グランドとしての機能をする部材を接続するようにすることで、アンテナ装置のグランドサイズを大きくし、アンテナ特性を向上させることができる。
【００７６】
したがって、アンテナ部は、必ずしも、固定式のアンテナではなくてもよく、例えば、図２４に示されるように、ホイップアンテナ４５１とヘリカルアンテナ４５１ａによりアンテナ部を構成した携帯電話機４６１とすることも可能である。ただし、この場合、アンテナ特性は改善されるが、突出部の損傷やひっかかりは防止できない。待ち受け時に突出部を発生させず、かつ、アンテナ特性を向上させるには、上記説明のようにアンテナ部を固定式のアンテナにより構成するのが好ましい。
【００７７】
さらに、以上においては、上部筐体６１を、下部筐体６２の上面６２ａに対して角度θから略平行になるように回動することで折りたたむようにしたが、図１に示されるように、上面６２ａに対して垂直な方向に回動することで折りたたむようにしても、本発明は適用できる。
【００７８】
また、図２５に示されるように、１つの筐体４７１で構成されているストレートタイプの（折りたたみ式ではない）携帯電話機４８１にも、本発明は適用することができる。
【００７９】
以上、本発明を携帯電話機に適用した場合を例としたが、本発明は、ＰＤＡ（Ｐｅｒｓｏｎａｌ　Ｄｉｇｉｔａｌ　Ａｓｓｉｓｔａｎｔｓ）、その他の携帯無線通信端末に適用することが可能である。
【００８０】
【発明の効果】
以上の如く、本発明によれば、アンテナ装置の性能を向上することができる。また、本発明によれば、突出部を設ける必要がなくなる。したがって、本発明によれば、通信品質が向上した、持ち運びやすい形状の携帯無線通信端末を提供することができる。
【図面の簡単な説明】
【図１】従来の携帯電話機の外観の構成例を示す斜視図である。
【図２】従来の携帯電話機の外観の他の構成例を示す斜視図である。
【図３】従来の携帯電話機の外観のさらに他の構成例を示す斜視図である。
【図４】従来の携帯電話機の使用状態を示す図である。
【図５】本発明を適用した携帯電話機の外観の構成例を示す斜視図である。
【図６】図５の携帯電話機の外観の構成例を示す側面図である。
【図７】図５の携帯電話機の筐体の回動中の状態を示す斜視図である。
【図８】図５の携帯電話機の筐体を閉じた状態を示す斜視図である。
【図９】図５の携帯電話機のアンテナ装置の構成例を示す斜視図である。
【図１０】図５の携帯電話機のアンテナ装置の構成例を示す斜視図である。
【図１１】図５の携帯電話機の使用状態を示す図である。
【図１２】図５の携帯電話機のアンテナ装置の他の構成例を示す斜視図である。
【図１３】図９のアンテナ装置の電気的な構成例を示すブロック図である。
【図１４】本発明を適用した携帯電話機の外観の他の構成例を示す側面図である。
【図１５】図１４の携帯電話機のアンテナ装置の構成例を示す斜視図である。
【図１６】図１４の携帯電話機の使用状態を示す図である。
【図１７】本発明を適用した携帯電話機の外観の他の構成例を示す側面図である。
【図１８】本発明を適用した携帯電話機の外観のさらに他の構成例を示す側面図である。
【図１９】本発明を適用した携帯電話機の外観の他の構成例を示す斜視図である。
【図２０】図１９の金属板の構成例を示す斜視図である。
【図２１】図１９の金属板の接続例を示す側面図である。
【図２２】図１９の金属板の他の接続例を示す側面図である。
【図２３】図１９の携帯電話機の金属板を収納した状態を示す斜視図である。
【図２４】本発明を適用した携帯電話機の外観の他の構成例を示す側面図である。
【図２５】本発明を適用した携帯電話機の使用状態を示す図である。
【符号の説明】
５１　携帯電話機，６１　上部筐体，６２　下部筐体，６３　ヒンジ，７８　金属棒，７８ａ　突起部，７９　アンテナ部，１０１　基板，１０２　基板，１０３　シールドケース，１１１　回路，１４１　位相回路，１５１　制御部，　１５２　スイッチ，２０１　携帯電話機，２４１　携帯電話機，３０１　携帯電話機，３１１　金属板，４５１　ホイップアンテナ，４５１ａ　ヘリカルアンテナ，４６１　携帯電話機，４７１　筐体，４８１　携帯電話機
【図１】
2004056703.tif 000003
【図２】
2004056703.tif 000004
【図３】
2004056703.tif 000005
【図４】
2004056703.tif 000006
【図５】
2004056703.tif 000007
【図６】
2004056703.tif 000008
【図７】
2004056703.tif 000009
【図８】
2004056703.tif 000010
【図９】
2004056703.tif 000011
【図１０】
2004056703.tif 000012
【図１１】
2004056703.tif 000013
【図１２】
2004056703.tif 000014
【図１３】
2004056703.tif 000015
【図１４】
2004056703.tif 000016
【図１５】
2004056703.tif 000017
【図１６】
2004056703.tif 000018
【図１７】
2004056703.tif 000019
【図１８】
2004056703.tif 000020
【図１９】
2004056703.tif 000021
【図２０】
2004056703.tif 000022
【図２１】
2004056703.tif 000023
【図２２】
2004056703.tif 000024
【図２３】
2004056703.tif 000025
【図２４】
2004056703.tif 000026
【図２５】
2004056703.tif 000027